(57)【要約】【課題】掲示物の着脱が容易に行えるとともに、掲示物を取り付けていない場合でも視界を遮ったり、美観を損なったりすることがない掲示装置を提供する。【解決手段】  掲示場所に立設又は吊設されるとともに、片面又は両面に掲示物６０が着脱可能に取り付けられる透明又は半透明の掲示板２と、該掲示板２の片面又は両面に着脱可能に設けられて、前記掲示板２の片面又は両面に取り付けられた掲示物６０の表面を被覆する透明又は半透明の保護板１６とを備える。掲示板２及び前記保護板１６は、強化ガラス又は強化プラスチックからなるので、掲示物６０が取り付けられていない状態でも視界を遮ったり、美観を損なったりすることはない。【選択図】図４
2009003028.tif 000002
【特許請求の範囲】
【請求項１】
片面又は両面に掲示物が着脱可能に取り付けられる透明又は半透明の掲示板と、該掲示板の片面又は両面に着脱可能に設けられて、前記掲示板の片面又は両面に取り付けられた掲示物の表面を被覆する透明又は半透明の保護板とを備えてなることを特徴とする掲示装置。
【請求項２】
前記掲示板及び前記保護板は、強化ガラス又は強化プラスチックからなることを特徴とする請求項１に記載の掲示装置。
【請求項３】
前記掲示板は、枠の内側に嵌め込まれた状態で掲示場所に立設又は吊設されていることを特徴とする請求項１又は２に記載の掲示装置。
【請求項４】
前記保護板は、前記掲示板の片面又は両面に着脱手段を介して着脱可能に設けられていることを特徴とする請求項１から３の何れかに記載の掲示装置。
【請求項５】
前記保護板は、前記掲示板の片面又は両面に開閉手段を介して開閉自在に設けられていることを特徴とする請求項１から３の何れかに記載の掲示装置。
【請求項６】
前記保護板には、前記保護板を閉じた状態に固定するロック手段が設けられていることを特徴とする請求項５に記載の掲示装置。
【請求項７】
交通機関の構内又は停留場に設置されていることを特徴とする請求項１から６の何れかに記載の掲示装置。
【請求項８】
請求項１から７に記載の掲示装置であって、防風スクリーンの機能を兼ね備えていることを特徴とする掲示装置。
【請求項９】
透明又は半透明の掲示板の片面又は両面に掲示物を着脱可能に取り付け、前記掲示板の片面又は両面に透明又は半透明の保護板を着脱可能に取り付け、前記掲示板の片面又は両面に取り付けられた掲示物の表面を被覆することを特徴とする掲示方法。
【発明の詳細な説明】
【技術分野】
【０００１】
本発明は、掲示装置及び掲示方法に関し、特に、交通機関の構内（鉄道のプラットホーム、改札口等）や停留場（バスの停留場等）等に広告、時刻表、業務内容等の情報を表示した各種の掲示物を掲示するのに有効な掲示装置及び掲示方法に関する。
【背景技術】
【０００２】
一般に、交通機関の構内（鉄道のプラットホーム、改札口等）や停留場（バスの停留場等）等には、広告、時刻表、業務内容等の情報を表示した各種の掲示物が掲示されており、交通機関の利用者や業務に携わる者等に各種の情報を提供している。
【０００３】
この種の情報を掲示する掲示装置の一例として、特許文献１には、鉄道の駅のプラットホームに設置した転落防止用柵を利用して広告を表示するように構成した例が記載されている。
【０００４】
特許文献１に記載された転落防止用柵は、プラットホーム上に設置される外枠体と、外枠体の内側に設けられる柵体と、柵体に着脱可能に設けられる板状の広告表示部とからなり、広告表示部の片面又は両面に広告が表示されている。また、広告の表示手段として、（１）広告表示部に広告ポスターを貼り付ける、（２）広告表示部に印刷や電飾による広告を表示する、（３）広告表示部上にＬＥＤやプラズマディスプレイ等を用いて広告を流し表示する等の例が示されている。
【０００５】
また、掲示装置の他の例として、特許文献２には、内部に超光輝描画部を有する積層型樹脂ガラス構造体を建築物のサッシガラス等に利用し、この積層型樹脂ガラス構造体に広告を表示するように構成した例が記載されている。
【０００６】
特許文献２に記載された構成では、積層型樹脂ガラス構造体は、内部に超光輝描画部を形成した樹脂体と、樹脂体の表裏面に設けられる強化ガラス等からなるガラス体と、樹脂体と各ガラス体との間に設けられる熱反射フィルム又はポリカーボネートとから構成され、樹脂体にＬＥＤより照射することにより広告を着色表示するようになっている。
【特許文献１】特開２００２−２４２１４２号公報
【特許文献２】特開２００３−２２５９７１号公報
【発明の開示】
【発明が解決しようとする課題】
【０００７】
ところで、上記のような構成の掲示装置のうち、特許文献１に記載の掲示装置にあっては、広告を入れ替える等の理由で広告表示部から広告を剥がした場合に、広告表示部が露出した状態でプラットホーム上に配置されることになるため、広告表示部によって視界が遮られ、利用者等に圧迫感を与えるとともに、美観を損なうことにもなる。
【０００８】
また、特許文献２に記載の掲示装置にあっては、ガラス体及び樹脂体がほぼ透明であるため、ガラス体及び樹脂体によって視線が遮られるようなことはなく、また、ほぼ透明のガラス体及び樹脂体によって美観を損なうようなこともない。しかし、広告を入れ替える場合に、積層型樹脂ガラス構造体を入れ替えしなければならず、その作業に時間と手間がかかる。
【０００９】
本発明は、上記のような従来の問題に鑑みなされたものであって、広告等の入れ替え作業を容易に行うことができるとともに、広告等を表示しない場合であっても視界を遮って圧迫感を与えたり、美観を損なったりするようなことがない掲示装置及び掲示方法を提供することを目的とする。
【課題を解決するための手段】
【００１０】
上記のような課題を解決するために、本発明は、以下のような手段を採用している。
すなわち、請求項１に係る発明は、片面又は両面に掲示物が着脱可能に取り付けられる透明又は半透明の掲示板と、該掲示板の片面又は両面に着脱可能に設けられて、前記掲示板の片面又は両面に取り付けられた掲示物の表面を被覆する透明又は半透明の保護板とを備えてなることを特徴とする。
【００１１】
本発明による掲示装置によれば、透明又は半透明の掲示板の片面又は両面に掲示物が着脱可能に取り付けられ、この掲示物の表面が掲示板の片面又は両面に取り付けられる透明又は半透明の保護板によって被覆されることになる。
従って、掲示物が取り付けられていない状態では、掲示場所に透明又は半透明の掲示板と保護板とが位置することになるので、掲示板及び保護板によって視界が遮られることはなく、また掲示板及び保護板によって美観が損なわれることもない。
さらに、掲示板の片面又は両面に掲示物を着脱させる場合には、掲示板の片面又は両面に掲示物を配置した状態でその上に保護板を着脱させればよいので、掲示板への掲示物の着脱作業を容易に行うことができる。
【００１２】
請求項２に係る発明は、請求項１に記載の掲示装置であって、前記掲示板及び前記保護板は、強化ガラス又は強化プラスチックからなることを特徴とする。
【００１３】
本発明による掲示装置によれば、掲示板及び保護板は、強化ガラス又は強化プラスチックから形成されているので、掲示場所に立設又は吊設した場合に、破損等するのを防止できることになる。
【００１４】
請求項３に係る発明は、請求項１又は２に記載の掲示装置であって、前記掲示板は、枠の内側に嵌め込まれた状態で掲示場所に立設又は吊設されていることを特徴とする。
【００１５】
本発明による掲示装置によれば、枠を掲示場所に取り付けることで、掲示板を掲示場所に立設又は吊設することができる。
【００１６】
請求項４に係る発明は、請求項１から３の何れかに記載の掲示装置であって、前記保護板は、前記掲示板の片面又は両面に着脱手段を介して着脱可能に設けられていることを特徴とする。
【００１７】
本発明による掲示装置によれば、保護板は、掲示板の片面又は両面に着脱手段を介して着脱されることになるので、保護板の掲示板への着脱作業を容易に行うことができる。
【００１８】
請求項５に係る発明は、請求項１から３の何れかに記載の掲示装置であって、前記保護板は、前記掲示板の片面又は両面に開閉手段を介して開閉自在に設けられていることを特徴とする。
【００１９】
本発明による掲示装置によれば、保護板は、掲示板の片面又は両面に開閉手段を介して開閉自在に設けられることになるので、保護板の掲示板に対する着脱作業を容易に行うことができる。
【００２０】
請求項６に係る発明は、請求項５に記載の掲示装置であって、前記保護板には、前記保護板を閉じた状態に固定するロック手段が設けられていることを特徴とする。
【００２１】
本発明による掲示装置によれば、ロック手段によって保護板を閉じた状態に固定することができることになる。
【００２２】
請求項７に係る発明は、請求項１から６の何れかに記載の掲示装置であって、交通機関の構内又は停留場に設置されていることを特徴とする。
【００２３】
本発明による掲示装置によれば、交通機関の構内又は停留場に設置することにより、交通機関の利用客や業務に携わる者等に掲示物の掲示内容を提供することができることになる。
【００２４】
請求項８に係る発明は、請求項１から７に記載の掲示装置であって、防風スクリーンの機能を兼ね備えていることを特徴とする。
【００２５】
本発明による掲示装置によれば、掲示物を掲示する機能の他に防風の機能が得られることになる。
【００２６】
請求項９に係る発明は、透明又は半透明の掲示板の片面又は両面に掲示物を着脱可能に取り付け、前記掲示板の片面又は両面に透明又は半透明の保護板を着脱可能に取り付け、前記掲示板の片面又は両面に取り付けられた掲示物の表面を被覆することを特徴とする。
【００２７】
本発明による掲示方法によれば、掲示板の両面又は片面に掲示物を着脱可能に取り付けるとともに、掲示板の片面又は両面に保護板を着脱可能に取り付けることで、掲示板の片面又は両面に取り付けられた掲示物の表面が保護板によって被覆されることになる。
【発明の効果】
【００２８】
以上、説明したように、本発明の掲示装置によれば、透明又は半透明の掲示板の片面又は両面に掲示物が着脱可能に取り付けられ、この掲示物の表面が掲示板の片面又は両面に着脱可能に取り付けられる透明又は半透明の保護板によって被覆されることになる。
従って、掲示物が取り付けられていない状態で、透明又は半透明の掲示板及び保護板によって視界を遮られるようなことはなく、また美観が損なわれることもない。
また、掲示板に掲示物を取り付ける場合には、掲示板の片面又は両面に掲示物を配置し、この状態で掲示板の片面又は両面に保護板を取り付ければよいので、掲示板への掲示物の取り付け、取り外しの作業を容易に行うことができ、掲示内容の入れ替え作業に要する時間と手間を削減することができる。
さらに、掲示板及び保護板を強化ガラス又は強化プラスチックで形成することにより、防風機能を付与することができるので、交通機関（鉄道、バス）のプラットホームや停留場等に設置することにより、利用客等に広告、時刻表等の情報を提供する他に、防風機能を提供することもできる。
さらに、本発明の掲示方法によれば、掲示板の片面又は両面に掲示物を着脱可能に取り付けた上で、掲示板の片面又は両面に保護板を着脱可能に取り付けることで、掲示物の表面を保護板で被覆することができる。
【発明を実施するための最良の形態】
【００２９】
以下、図面を参照しながら本発明の実施の形態について説明する。
図１〜図６には、本発明による掲示装置の第１の実施の形態が示されていて、図１は掲示装置の設置状態を示す斜視図、図２及び図３は図１の掲示装置の斜視図、図４は掲示装置の正面図、図５は図４のＡ−Ａ線に沿って見た断面図、図６は図４のＢ−Ｂ線に沿って見た断面図である。
【００３０】
本実施形態の掲示装置１は、交通機関の構内や停留場等の掲示場所（本実施の形態では、図１に示すように、鉄道のプラットホーム６５に適用している。）に広告、時刻表、業務内容等の各種の情報を表示した掲示物６０を掲示するのに有効なものであって、図２及び図３に示すように、掲示板２と、掲示板２を支持する外枠５と、掲示板２の片面又は両面（本実施の形態では両面）に着脱可能に設けられる保護板１６とを備え、プラットホーム６５上に垂直に立設されている。
【００３１】
掲示板２は、透明又は半透明の強化ガラス又は強化プラスチック（本実施の形態では強化ガラス）からなる矩形板状をなすものであって、この掲示板２の両面に広告、時刻表、業務内容等の各種の情報を表示したシート状の掲示物６０が両面テープ等を介して着脱可能に取り付けられる。
なお、強化ガラスとしては各種の強化ガラスを使用することができ、強化プラスチックとしては、アクリル樹脂板、ポリカーボネート板等を使用することができる。
【００３２】
外枠５は、角筒状の上枠６と下枠７と４本の縦枠８とを四方枠組みして構成したものであって、下枠７をプラットホーム６５にアンカーボルト等を介して固定することでプラットホーム６５上に垂直に立設されている。
【００３３】
上枠６と、下枠７と、隣り合う２本の縦枠８、８とによって囲まれる部分には矩形状の開口部１３がそれぞれ設けられ、各開口部１３に各開口部１３を閉塞するようにそれぞれ掲示板２が取り付けられている。
【００３４】
図５に示すように、各縦枠８の開口部１３に面する側面には所定の幅の溝１４が設けられ、この溝１４内に掲示板２の側縁部を嵌め込むことで、掲示板２が各開口部１４に取り付けられている。この場合、各縦枠８の内部にはＨ型鋼からなる支柱１０が一体に設けられており、この支柱１０に取付け板１１及び固定ネジ１２を介して掲示板２の側縁部を固定することで、掲示板２と外枠５とが一体化されている。また、溝１４の内面と掲示板２の側縁部両面との間にはゴム、樹脂等から形成されるシール部材１５が嵌め込まれ、このシール部材１５によってそれらの間がシールされている。
なお、図６に示すように、掲示板２と上枠６及び下枠７との間には微小隙間（上枠６と掲示板２との間の微小隙間のみを表示）形成されている。
【００３５】
図４〜図６に示すように、掲示板２の周縁部の上枠６、及び縦枠８に沿う部分には、複数箇所（本実施の形態では６箇所）にネジ挿通用孔３が設けられ、このネジ挿通用孔３と後述する保護板１６のネジ挿通用孔１７との間に着脱手段１８を取り付けることで、掲示板２の両面に保護板１６が取り付けられる。
【００３６】
保護板１６は、透明又は半透明の強化ガラス又は強化プラスチック（本実施の形態では強化プラスチック（例えば、アクリル樹脂板、ポリカーボネート板等））からなる矩形板状をなすものである。図４に示すように、保護板１６は、掲示板２の下端部を除くほぼ全体を被覆する大きさに形成され、後述する着脱手段１８を介して掲示板２の両面に着脱可能に取り付けられ、この保護板１６によって掲示板２の両面に取り付けられる掲示物６０の表面が被覆される。
【００３７】
図５に示すように、保護板１６の周縁部の掲示板２のネジ挿通用孔３に対応する部分にはそれぞれネジ挿通用孔１７が設けられ、保護板１６を掲示板２の両面に設置した状態で、保護板１６の各ネジ挿通用孔１７と掲示板２の各ネジ挿通用孔３とを合致させ、両ネジ挿通用孔１７、３間に着脱手段１８を取り付けることで、保護板１６が掲示板２の両面に取り付けられる。
【００３８】
着脱手段１８は、図５及び図６に示すように、例えば、雄ネジ２０と雌ネジ２２との組合せからなるネジ締結体１９であって、雌ネジ２２のネジ部２３を一方の保護板１６のネジ挿通用孔１７、掲示板２のネジ挿通用孔３、及び他方の保護板１６のネジ挿通用孔１７内に挿入し、雄ネジ２０のネジ部２１を他方の保護板１６側から雌ネジ２２のネジ部２３に螺合させて締め付けることで、掲示板２の両面に保護板１６が取り付けられ、掲示板２の両面に取り付けられる掲示物６０が一方の保護板１６と掲示板２との間及び他方の保護板１６と掲示板２との間で挟持される。
【００３９】
そして、上記のように構成した本実施の形態による掲示装置１に広告、時刻表、業務内容等の各種の情報を表示した各種の掲示物６０を取り付けるには、掲示板２の両面に掲示物６０を両面テープ等を用いて仮止めする。
【００４０】
そして、両掲示物６０の上部にそれぞれ保護板１６を配置し、各保護板１６の各ネジ挿通用孔１７と掲示板２のネジ挿通用孔３とを合致させ、この状態で一方の保護板１６のネジ挿通用孔１７、掲示板２のネジ挿通用孔３、及び他方の保護板１６のネジ挿通用孔１７内にネジ締結体１９の雌ネジ２２のネジ部２３を挿入し、他方の保護板１６側から雄ネジ２０のネジ部２１を雌ネジ２２のネジ部２３に螺合させて締め付ける。
【００４１】
このようにして、掲示板２の両面に掲示物６０を仮止めした状態で、掲示板２の両面に保護板１６を取り付けることで、一方の保護板１６と掲示板２との間、及び他方の保護板１６と掲示板２との間でそれぞれ掲示物６０が挟持され、掲示物６０の表面が保護板１６によって被覆され、透明又は半透明の保護板１６を透過して掲示物６０に表示されている広告、時刻表等の情報が鉄道の利用客等に提供される。
【００４２】
また、掲示物６０を入れ替えする場合には、ネジ締結体１９を取り外して両保護板１６を掲示板２の両面から取り外し、掲示板２の両面から掲示物６０を取り外し、掲示物６０を新しいものと入れ替え、上記した手順によって掲示板２の両面に保護板１６を取り付ければよい。
【００４３】
上記のように構成した本実施の形態による掲示装置１にあっては、掲示板２及び保護板１６は、透明又は半透明であるので、掲示物６０を取り付けていない状態でも鉄道の利用客等の視界を妨げたり、美観を損なったりするようなことはない。
【００４４】
また、掲示板２及び保護板１６は、強化ガラス又は強化プラスチックから形成されているので、鉄道の駅のプラットホーム６５に設置した場合には、利用客等に作用する風を遮る防風装置（防風スクリーン）として機能させることができる。
【００４５】
さらに、掲示物６０を入れ替えする場合に、ネジ締結体１９を取り外して保護板１６を掲示板２から取り外し、掲示物６０を新しいものと入れ替えた後に、保護板１６をネジ締結体１９で掲示板２に取り付けるだけでよいので、掲示物６０の入れ替え作業に要する時間と手間を削減することができる。
【００４６】
図７〜図１１には、本発明による掲示装置の第２の実施の形態が示されていて、図７及び図８は掲示装置の斜視図、図９は掲示装置の正面図、図１０は図９のＣ−Ｃ線に沿って見た断面図、図１１は図９のＤ−Ｄ線に沿って見た断面図である。
【００４７】
本実施形態の掲示装置１は、保護板１６を掲示板２の両面に対して開閉可能に設け、保護板１６を閉じた状態で掲示板２の両面に取り付けた掲示物６０の表面を被覆し、保護板１６を開いた状態で掲示物６０の表面を露出させるように構成したものであって、その他の構成は前記第１の実施の形態に示すものと同様である。
【００４８】
この場合、保護板１６は、角筒状の上枠２６と、下枠２７と、隣り合う２本の縦枠２８とを四方枠組みして構成した内枠２５の内側に嵌め込まれており、この状態で外枠５の各開口部１３に開閉手段３１を介して開閉自在に取り付けられている。
【００４９】
図１０及び図１１に示すように、内枠２５の上枠２６、下枠２７、及び各縦枠２８の内面には２つの角筒状の支持部２９が所定の間隔をおいて設けられ、両支持部２９、２９間に形成される溝３０内に保護板１６の周縁部を嵌め込むことで、内枠２５と保護板１６とが一体化されている。
【００５０】
図１０に示すように、内枠２５の一方の縦枠２８と外枠５の一方の縦枠８との間には、両縦枠２８、５を所定の範囲内で相対的に回動自在に連結する開閉手段３１である蝶番３２が設けられ、この蝶番３２を介して内枠２５を外枠５に対して回動させることにより、内枠２５と一体に保護板１６が回動し、保護板１６によって掲示板２の両面が開閉される。
なお、保護板１６で掲示板２の両面を閉じた状態では、保護板１６と掲示板２との間に所定の間隙が形成される。
【００５１】
図１０に示すように、内枠２５の他方の縦枠２８には固定手段３３であるコインロック３４が設けられ、保護板１６によって掲示板２の両面を閉じた状態でこのコインロック３４を回動させて、ロックピン３５を外枠５の縦枠８のロック溝９内に係合させることで、保護板１６を掲示板２の両面を閉じた状態に固定することができる。
【００５２】
本実施の形態では、保護板１６を閉じた状態で保護板１６と掲示板２との間に所定の間隙が形成されることになるので、掲示物６０を掲示板２の両面に取り付ける取付け手段３６として、図１１〜図１４に示すような構成のものを使用することが可能である。
【００５３】
すなわち、図１１に示す取付け手段３６は、掲示板２の両面の所定の位置に接着剤を介して接着される金属板等の磁性体からなる固定板３７と、この固定板３７に磁着されるマグネット板３８とを備え、掲示板２の両面に配置した掲示物６０の外側からマグネット板３８を固定板３７に磁着させることで、掲示物６０を掲示板２の両面に取り付けるように構成したものである。
【００５４】
また、図１２に示す取付け手段３６は、掲示板２の所定の位置に設けた孔４内に、掲示板２の一方の面側からネジ部４６が挿入される金属等の磁性体からなる雌ネジ４５と、掲示板２の他方の面側から雌ネジ４５のネジ部４６にネジ部４０が螺合される金属等の磁性体からなる雄ネジ３９と、雌ネジ４５の頭部４７、及び雄ネジ３９の頭部４１に磁着されるマグネット板３８とを備え、掲示板２の両面に配置した掲示物６０の外側からマグネット板３８を雌ネジ４５の頭部４７及び雄ネジ３９の頭部４１に磁着させることで、掲示物６０を掲示板２の両面に取り付けるように構成したものである。
なお、雌ネジ４５の頭部４７と掲示板２との間、雄ネジ３９の頭部４１と掲示板２との間にはそれぞれシリコンゴム４８が介装されている。
【００５５】
さらに、図１３に示す取付け手段３６は、掲示板２の所定の位置に設けた孔４内に、掲示板２の一方の面側からネジ部４６が挿入される雌ネジ４５と、掲示板２の他方の面側から雌ネジ４５のネジ部４６にネジ部４０が螺合される雄ネジ３９と、雄ネジ３９の中心部に設けられたネジ孔４２に掲示板２の一方の面側及び他方面側からそれぞれネジ部５１が螺合される２つの固定ネジ５０とを備え、掲示板２の両面に配置した掲示物６０の外側から固定ネジ５０のネジ部５１を掲示物６０を貫通させて雄ネジ３９のネジ孔４２に螺合させることで、掲示物６０を掲示板２の両面に取り付けるように構成したものである。
なお、雌ネジ４５の頭部４７と掲示板２との間、雄ネジ３９の頭部４１と掲示板２との間にはそれぞれシリコンゴム４８が介装されている。
【００５６】
さらに、図１４に示す取付け手段３６は、掲示板２の所定の位置に設けた孔４内に、掲示板２の一方の面側からネジ部４６が挿入される雌ネジ４５と、掲示板２の他方の面側から雌ネジ４５のネジ部４６にネジ部４０が螺合される雄ネジ３９と、雄ネジ３９の中心部に設けられた孔４３内に嵌合されるコルク４４と、掲示板２の一方の面側及び他方面側からそれぞれコルク４４に突き刺されるピン５５とを備え、掲示板２の両面に配置した掲示物６０の外側からピン５５を掲示物６０を貫通させてコルク４４に突き刺すことで、掲示物６０を掲示板２の両面に取り付けるように構成したものである。
なお、雌ネジ４５の頭部４７と掲示板２との間、雄ネジ３９の頭部４１と掲示板２との間にはそれぞれシリコンゴム４８が介装されている。
【００５７】
そして、上記のように構成した本実施の形態による掲示装置１にあっても、前記第１の実施の形態に示すものと同様に、掲示板２及び保護板１６は、透明又は半透明であるので、掲示物６０を取り付けていない状態でも鉄道の利用客等の視界を妨げたり、美観を損なったりするようなことはない。
【００５８】
また、掲示板２及び保護板１６は、強化ガラス又は強化プラスチックから形成されているので、鉄道の駅のプラットホーム６５に設置することにより、利用客等に作用する風を遮る防風装置（防風スクリーン）として機能させることができる。
【００５９】
さらに、保護板１６を掲示板２に対して開閉可能に構成したので、掲示物６０を入れ替えする場合に、保護板１６を回動させて開いた状態とし、この状態で掲示物６０を新しいものと入れ替え、保護板１６を回動させて閉じればよいので、掲示物６０の入れ替え作業に要する時間と手間を削減することができる。
【００６０】
図１５には、本発明による掲示装置の第３の実施の形態が示されていて、この掲示装置１は、保護板１６の一側部を開閉手段３１である蝶番３２を介して直接に外枠５の一方の縦枠８に取り付け、蝶番３２を介して保護板１６を回動させることにより掲示板２の両面を開閉させるように構成したものであって、その他の構成は前記第２の実施の形態に示すものと同様である。
【００６１】
なお、保護板１６の他側部と外枠５の他方の縦枠８との間には固定手段３３であるコインロック３４が設けられ、保護板１６によって掲示板２の両面を閉じた状態でこのコインロック３４を回動させて、ロックピン３５を外枠５の縦枠８のロック溝９内に係合させることで、保護板１６を掲示板２の両面を閉じた状態に固定することができる。
【００６２】
そして、本実施の形態に示す掲示装置１にあっても、前記第２の実施の形態に示すものと同様に、掲示板２及び保護板１６は、透明又は半透明であるので、掲示物６０を取り付けていない状態でも鉄道の利用客等の視界を妨げたり、美観を損なったりするようなことはない。
【００６３】
また、掲示板２及び保護板１６は、強化ガラス又は強化プラスチックから形成されているので、鉄道の駅のプラットホーム６５に設置することにより、利用客等に作用する風を遮る防風装置（防風スクリーン）として機能させることができる。
【００６４】
さらに、保護板１６を掲示板２に対して開閉可能に構成したので、掲示物６０を入れ替えする場合に、保護板１６を回動させて開いた状態とし、この状態で掲示物６０を新しいものと入れ替え、保護板１６を回動させて閉じればよいので、掲示物６０の入れ替え作業に要する時間と手間を削減することができる。
【００６５】
さらに、保護板１６を内枠を用いずに蝶番３２を介して直接に外枠５に取り付けているので、保護板１６の外枠５への取り付け作業を容易にすることができる。
【００６６】
なお、前記各実施の形態においては、本発明による掲示装置１を鉄道のプラットホーム６５に設置した場合について説明したが、図１６に示すように、鉄道の駅のプラットホーム６５の天井部６６の梁６７に吊設してもよいし、図１７に示すように、鉄道の駅の改札口６８に隣接する部分に設置してもよいし、それらの場合にも同様の作用効果を奏する。
なお、図１７の例では、外枠５に４つの開口部１３を設け、各開口部１３に掲示板２を取り付け、各掲示板２に保護板１６を着脱可能又は開閉可能に設けている。
【００６７】
さらに、図示はしないが、鉄道の駅の構内の他の場所に設置してもよいし、バスの停留場等に設置してもよいし、商業施設（ショッピングセンター等）等の広場等に設置してもよいし、その他の掲示物を掲示する各種の場所に設置してもよいし、それらの場合にも同様の作用効果を奏する。
【００６８】
さらに、前記の説明においては、透明又は半透明の保護板１６を用いた例について説明したが、透明又は半透明のシート状の保護幕を用い、この保護幕を掲示板２の上部に繰り出し、巻き取り可能に設け、掲示板２の両面を開閉するように構成してもよい。
さらに、掲示板２及び保護板１７は、透明又は半透明であれば斑等の模様がはいったものであってもよい。
【図面の簡単な説明】
【００６９】
【図１】本発明による掲示装置の第１の実施の形態の設置状態を示した斜視図である。
【図２】図１の掲示装置の斜視図であって、掲示物の取り付け前の状態を示した斜視図である。
【図３】図１の掲示装置の斜視図であって、掲示物の取り付け後の状態を示した斜視図である。
【図４】図１の掲示装置の正面図である。
【図５】図４のＡ−Ａ線に沿って見た断面図である。
【図６】図４のＢ−Ｂ線に沿って見た断面図である。
【図７】本発明による掲示装置の第２の実施の形態を示した斜視図であって、掲示物の取り付け前の状態を示した斜視図である。
【図８】図７の掲示装置の掲示物の取り付け後の状態を示した斜視図である。
【図９】図７の掲示装置の正面図である。
【図１０】図９のＣ−Ｃ線に沿って見た断面図である。
【図１１】図９のＤ−Ｄ線に沿って見た断面図である。
【図１２】取付け手段の変形例を示した断面図である。
【図１３】取付け手段の変形例を示した断面図である。
【図１４】取付け手段の変形例を示した断面図である。
【図１５】本発明による掲示装置の第３の実施の形態を示した断面図である。
【図１６】本発明による掲示装置の第４の実施の形態の設置状態を示した斜視図である。
【図１７】本発明による掲示装置の第５の実施の形態の設置状態を示した正面図である。
【符号の説明】
【００７０】
１  掲示装置
２  掲示板
３  ネジ挿通用孔
４  孔
５  外枠
６  上枠
７  下枠
８  縦枠
９  ロック溝
１０  支柱
１１  取付け板
１２  固定ネジ
１３  開口部
１４  溝
１５  シール部材
１６  保護板
１７  ネジ挿通用孔
１８  着脱手段
１９  ネジ締結体
２０  雄ネジ
２１  ネジ部
２２  雌ネジ
２３  ネジ部
２５  内枠
２６  上枠
２７  下枠
２８  縦枠
２９  支持部
３０  溝
３１  開閉手段
３２  蝶番
３３  固定手段
３４  コインロック
３５  ロックピン
３６  取付け手段
３７  固定板
３８  マグネット板
３９  雄ネジ
４０  ネジ部
４１  頭部
４２  ネジ孔
４３  孔
４４  コルク
４５  雌ネジ
４６  ネジ部
４７  頭部
４８  シリコンゴム
５０  固定ネジ
５１  ネジ部
５５  ピン
６０  掲示物
６５  プラットホーム
６６  天井部
６７  梁
６８  改札口
【図４】
2009003028.tif 000003
【図５】
2009003028.tif 000004
【図６】
2009003028.tif 000005
【図９】
2009003028.tif 000006
【図１０】
2009003028.tif 000007
【図１１】
2009003028.tif 000008
【図１２】
2009003028.tif 000009
【図１３】
2009003028.tif 000010
【図１４】
2009003028.tif 000011
【図１５】
2009003028.tif 000012
【図１７】
2009003028.tif 000013
【図１】
2009003028.tif 000014
【図２】
2009003028.tif 000015
【図３】
2009003028.tif 000016
【図７】
2009003028.tif 000017
【図８】
2009003028.tif 000018
【図１６】
2009003028.tif 000019